(57)【要約】【課題】光バースト信号の衝突回避と、光バースト転送帯域の最低保証をＯＸＣメッシュネットワークにおいて実現する。【解決手段】光バースト転送を行う光パスクロスコネクトネットワークにおいて、光パスクロスコネクトネットワークを構成する任意の複数のノードを１つのグループ単位とし、このグループを構成する各ノード間をリング状に接続する光チャネルの集合体で１つの仮想リングネットワークを定義し、仮想リングネットワークの伝送帯域をグループを構成する各ノードで共用し、各ノードで通信トラヒックが発生したときに仮想リングネットワークの伝送帯域を確保して光バースト信号として転送する。【選択図】        図１
2004179759.tif 000002
【特許請求の範囲】
【請求項１】
光バースト転送を行う光パスクロスコネクトネットワークにおいて、
前記光パスクロスコネクトネットワークを構成する任意の複数のノードを１つのグループ単位とし、このグループを構成する各ノード間をリング状に接続する光チャネルの集合体で１つの仮想リングネットワークを定義し、
前記仮想リングネットワークの伝送帯域を前記グループを構成する各ノードで共用し、各ノードで通信トラヒックが発生したときに前記仮想リングネットワークの伝送帯域を確保して光バースト信号として転送する
ことを特徴とする仮想リング光バースト転送方法。
【請求項２】
請求項１に記載の仮想リングネットワークを構成するノード間が波長多重リンクで相互接続され、請求項１に記載の仮想リング光バースト転送方法により光バースト信号の転送を行うノード装置において、
入力側の波長多重リンクから波長多重された光信号を入力して分波する波長分波器と、各波長の光信号を指定された方路に出力する光スイッチ機能部と、各方路に出力された光信号を多重する波長合波器とを備えた光スイッチ部と、
自ノードを収容する仮想リング識別情報と、前記仮想リングネットワークを収容する入力波長チャネル番号および出力波長チャネル番号を保持するデータベースを参照し、前記仮想リングネットワークの伝送帯域を確保して前記光スイッチ機能部を制御するバーストスイッチ制御部と
を備えたことを特徴とするノード装置。
【請求項３】
請求項２に記載のノード装置において、
前記光スイッチ機能部は、入力された各光信号を所定の波長に変換する波長変換機能を含み、
前記バーストスイッチ制御部は、前記データベースに登録されている出力波長チャネル番号を優先波長チャネル番号とし、まずこの優先波長チャネル番号が光バースト信号の到着時刻に未使用であるかどうかを検索し、未使用であればその出力波長チャネルを利用し、使用中であれば他の空き出力波長チャネルを検索して前記仮想リングネットワークの伝送帯域を確保する制御を行う構成である
ことを特徴とするノード装置。
【請求項４】
請求項２または請求項３に記載のノード装置において、
前記バーストスイッチ制御部は、光スイッチ設定を行う予定時刻、入力波長チャネル番号および出力波長チャネル番号を管理する予定表データベースと、時刻を定義するクロックとを備え、光バースト信号の到着時刻に合わせて前記仮想リングネットワークの伝送帯域を確保する構成である
ことを特徴とするノード装置。
【発明の詳細な説明】
【０００１】
【発明の属する技術分野】
本発明は、光パスクロスコネクト（ＯＸＣ）ネットワークで光バースト転送を行う仮想リング光バースト転送方法およびそれを実現するノード装置に関する。
【０００２】
【従来の技術】
広帯域光伝送技術とインターネット技術との融合により、インターネットの広帯域化が加速化している。最近のインターネットでは、動画コンテンツの配信がインターネットサービスプロバイダのサービスメニューに追加されるなど、流通するコンテンツの大容量化が進展し、数百メガバイト〜ギガバイト級の動画コンテンツの流通も視野に入ってきている。
【０００３】
ところで、このような大容量情報配信サービスの展開にも拘わらず、大容量コンテンツ配信の技術基盤はＴＣＰ／ＩＰ技術である。ＴＣＰ／ＩＰの利点は、メール、少量ファイル転送、静止画ウェブといった狭帯域サービスと、大容量コンテンツ配信といった広帯域サービスを同一のネットワーク基盤に収容可能であるところにある。
【０００４】
しかし、ＴＣＰ／ＩＰ技術は、ローカルエリアネットワーク（ＬＡＮ）で広く用いられているイーサネット（登録商標）技術との親和性を重視した技術であり、転送する情報がギガバイト級の大容量コンテンツであっても、６４ｋバイトを越えるジャンボパケットで情報転送することを現状では容認していない。また、バックボーンネットワークを構築する際でも、音声通話といったリアルタイム転送と、ギガバイト級の大容量コンテンツ転送とをパケット多重で混在させる方式も望ましくない。音声パケットのリアルタイム性を確保するには、大容量コンテンツパケットを複数の短パケットに分割する必要性が生じる。その結果、大容量コンテンツを転送する際には、ＩＰヘッダに大量のオーバヘッド情報を追加しなければならず、伝送帯域の損失が増大する。
【０００５】
上記の問題を解決する手段として、光パスクロスコネクト（ＯＸＣ）装置を基盤とした光ネットワーキング技術を利用することが検討されている。当該光ネットワークでは、波長チャネル単位に独立のプロトコルフォーマットで光信号を伝送可能である。各々のファイバリンクにおいて、ある波長チャネルは、ＩＰルータ♯Ａ−♯Ｂを接続する光パス♯１を収容し、従来型のＩＰ転送サービスを提供している。その一方で、別の波長チャネルは光バースト信号を収容している。
【０００６】
光バースト信号は、図６に示すように、１０Ｇｂｉｔ／ｓ  以上の超高速伝送能力を有する波長チャネルを所定の短時間だけ占有する信号であり、ギガバイト級の大容量コンテンツを配信する際には、保留時間τが１秒前後で１０Ｇｂｉｔ／ｓ  の波長チャネルを占有することになる。この転送方式により、例えば２時間程度の動画コンテンツファイルの瞬時一括転送が可能になる。
【０００７】
ところで、光バースト転送の困難性は、バースト的に転送するコンテンツトラヒック同士の衝突回避法にある。転送ネットワーク内部で、複数の光バーストトラヒックが同一の波長チャネルを奪い合う競合が発生した場合には、波長チャネルに収容不能となった光バーストトラヒックを別の波長チャネルに収容するか、ノード内部のバッファに一時退避させる必要が生じる。１０Ｇｂｉｔ／ｓ  以上の超高速信号で転送されるギガバイト級のコンテンツを各中継ノードで一時退避させるだけのバッファを備える方式は、ノード実装規模を増大させる。経済的な光バースト転送ネットワークを構築するには、光バーストトラヒックの有効な衝突回避法を実現する必要がある。
【０００８】
このような衝突回避問題を緩和する光バースト転送方式の一つに、光バーストリング転送方式がある（非特許文献１）。この方式は、複数のノードをリングトポロジで接続した一つの波長チャネルの帯域を各ノードで共用しながら、各ノード間で光信号をバースト的に転送する方式であり、光バーストの衝突回避はすべて入力ノードで行われる。すなわち、図７に示すように、上流ノード優先アルゴリズムにより帯域確保が行われ、下流ノード（♯３）は上流ノード（♯１）が利用しなかった伝送帯域（タイムスロット１）を確保するアルゴリズムである。本方式により、大容量コンテンツの瞬時一括転送が可能になるのと同時に、限られた波長帯域を統計多重効果により有効活用することが可能になる。
【０００９】
【非特許文献１】
朴、高田、今宿、山林、「光ラベルスイッチを用いた超高速リングネットワークの検討」、ＰＮＩ２０００−１０、Ｍａｙ  ２０００
【００１０】
【発明が解決しようとする課題】
リングトポロジの利点は、光バースト信号の制御が容易であり、また各ノード間の公平性を確保しやすいところにある。図７に示すように、各ノードからみた上流ノードと下流ノードの数は全て同一になる。このようなネットワークでは、ある一定の時間で定義される多重化単位スロットで波長チャネルの全帯域を確保して光バースト信号を転送する場合に、上流ノードが多重化単位スロットを確保する優先権を有するような単純な制御アルゴリズムでトラヒック制御を行っても、各ノードが確保可能な多重化単位スロットの公平性は保たれ易い。例えば、各ノードで確保可能な多重化単位スロットに上限を設けるといった単純なアルゴリズムにより、各ノードで確保するタイムスロットの公平性をとることができる。
【００１１】
本発明は、光バースト信号の衝突回避と、光バースト転送帯域の最低保証をＯＸＣメッシュネットワークにおいて実現する仮想リング光バースト転送方法およびそれを実現するノード装置を提供することを目的とする。
【００１２】
【課題を解決するための手段】
本発明の仮想リング光バースト転送方法は、光バースト転送を行う光パスクロスコネクトネットワークにおいて、光パスクロスコネクトネットワークを構成する任意の複数のノードを１つのグループ単位とし、このグループを構成する各ノード間をリング状に接続する光チャネルの集合体で１つの仮想リングネットワークを定義し、仮想リングネットワークの伝送帯域をグループを構成する各ノードで共用し、各ノードで通信トラヒックが発生したときに仮想リングネットワークの伝送帯域を確保して光バースト信号として転送する。
【００１３】
この仮想リングネットワークを構成するノード間が波長多重リンクで相互接続され、本発明の仮想リング光バースト転送方法により光バースト信号の転送を行う本発明のノード装置は、入力側の波長多重リンクから波長多重された光信号を入力して分波する波長分波器と、各波長の光信号を指定された方路に出力する光スイッチ機能部と、各方路に出力された光信号を多重する波長合波器とを備えた光スイッチ部と、自ノードを収容する仮想リング識別情報と、仮想リングネットワークを収容する入力波長チャネル番号および出力波長チャネル番号を保持するデータベースを参照し、仮想リングネットワークの伝送帯域を確保して光スイッチ機能部を制御するバーストスイッチ制御部とを備える。
【００１４】
この光スイッチ機能部は、入力された各光信号を所定の波長に変換する波長変換機能を含み、バーストスイッチ制御部は、データベースに登録されている出力波長チャネル番号は優先波長チャネル番号とし、まずこの優先波長チャネル番号が光バースト信号の到着時刻に未使用であるかどうかを検索し、未使用であればその出力波長チャネルを利用し、使用中であれば他の空き出力波長チャネルを検索して仮想リングネットワークの伝送帯域を確保する制御を行う構成である。
【００１５】
また、バーストスイッチ制御部は、光スイッチ設定を行う予定時刻、入力波長チャネル番号および出力波長チャネル番号を管理する予定表データベースと、時刻を定義するクロックとを備え、光バースト信号の到着時刻に合わせて前記仮想リングネットワークの伝送帯域を確保する構成である。
【００１６】
【発明の実施の形態】
（仮想リング光バースト転送方法の実施形態）
図１は、本発明の仮想リング光バースト転送方法を説明する光クロスコネクトネットワークの構成例を示す。
【００１７】
本実施形態は、波長単位の光パスを定義する光パスネットワークと、これら光パスのクロスコネクションを実現する光クロスコネクトネットワークである。この光クロスコネクトネットワークは、二種類のネットワーキングを実現する。第１のネットワーキングは、始点ノードと終点ノードの間にポイントツーポイントのパスを定義する形態である。第２のネットワーキングは、光クロスコネクトネットワークのうち、一部のノードを一つのグループ単位として定義する。その上で、グループの構成員となる各ノード間を接続するための光チャネルを光パスクロスコネクト装置間で定義し、これら光チャネルの集合体で仮想リングネットワークを構成する形態である。このネットワーキングを実現するために、各ノードは光パス同士の衝突を避ける手段として波長変換機能を実装している。各々の光パス帯域は１０Ｇｂｉｔ／ｓ  であり、ＩＴＵ−Ｔ  Ｇ．７０９仕様のＯＴＮフォーマットで転送される。この光パスは、ファイバリンクに５０ＧＨｚ間隔に収容され、各ファイバリンクでは３２波長の波長分割多重伝送が実現される。
【００１８】
本実施形態の特徴は、第２のネットワーキングを実現する機能が各ノードに実装されているところにある。各ノードは、各々の仮想リングネットワークを定義し、これに識別番号を付与して管理する機能を有する。
【００１９】
図１に示す例は、ノード♯１，♯２，♯４，♯６をグループ単位とし、グループを構成する各ノード間を接続する光チャネルの集合体で１つの仮想リングネットワーク１０１を定義し、これに識別番号を付与して各ノードで管理する。この仮想リングネットワーク１０１は、例えば
♯１−♯２：波長チャネルλ４
♯２−♯４：波長チャネルλ３  （♯２−♯３）、波長チャネルλ２  （♯３−♯４）
♯４−♯６：波長チャネルλ２
♯６−♯１：波長チャネルλ１
という形態で、これらのノードをリング状に接続する手段となる波長チャネルを各ノード間で確保する。なお、ここでは各ノード間で単一波長チャネルが確保されているが、２つ以上の波長チャネルを確保してもよい。
【００２０】
ノード♯２と♯４は、ノード♯３を経由し、２つの波長チャネルを用いることにより接続される。♯２−♯３間ではλ３  、♯３−♯４間ではλ２  の波長チャネルが用い、ノード♯３の波長変換機能を用いて２つの波長チャネルが接続される。ただし、ノード♯３は、仮想リングネットワーク１０１を構成するノードではないので、当該リングネットワークのトラヒックをフォワーディングする機能のみを提供する。
【００２１】
各ノードは、このような形態で構成された仮想リングネットワーク１０１の帯域を共有することになる。図２は、仮想リングネットワーク１０１の帯域共有の一例を示す。ノード♯１，♯２，♯３，♯４は、これら相互のノード間で発生する通信トラヒックをバースト的に転送する。ここでは、上流ノードに１０Ｇｂｉｔ／ｓ  の光バースト信号を転送する優先権が与えられているものとする。このとき、ノード♯２は、ノード♯１からノード♯４へ向けてのトラヒックが到着している瞬間、ノード♯２から新たなトラヒックを当該リングへ送出することを待機する。ノード♯２は、当該トラヒックが通過したタイミングを捉えて、ノード♯２からノード♯４に光バースト信号を転送する。このような処理により、バースト的に発生する大容量コンテンツトラヒックを統計多重方式により１つの仮想リングネットワークに収容する。
【００２２】
光バースト信号の転送先情報を各ノードが識別する方法としては、主に２つの方法が適用できる。第一は、光バースト信号そのものに宛先ラベル情報を付加する方法である。光バースト信号への宛先ラベル情報の付加方法には、▲１▼従来技術と同様の発想で、転送する光バースト信号の先頭に宛先ラベル情報を付加する方法、▲２▼光バースト信号の宛先ラベル情報を乗せた変調信号を重畳する方法、などがある。変調信号には、サブキャリア変調信号、光符号分割多重信号等を用いることができる。
【００２３】
第二は、光バースト信号を転送する主信号回線とは異なる制御回線を用いる方法である。光バースト信号を実際に転送するよりも少し前に、光バースト信号の転送予告情報が入力され、この転送予告情報に基づいて光バースト信号をドロップするかコンティニューするかを判断する。本発明では、光バースト信号の転送先の認識手段を特定しないが、本実施形態では第二の制御回線を用いる方法に基づいて説明する。
【００２４】
図３は、ノード♯１からノード♯４に転送される光バースト信号の転送形態を示す。まず、ノード♯１からノード♯４に向けて、光バースト信号の転送時刻情報、宛先アドレス情報、入力波長チャネル番号を明記した制御信号パケットが転送される。この制御信号パケットには、さらにどの仮想リングのバーストトラヒックであるかを示す識別情報も付加される。この制御信号パケットを受け取ったノード♯２は、仮想リング識別情報と、宛先ノードアクセス情報と、自ノードの管理制御部に保存されている仮想リング識別情報と、仮想リングを収容する出力波長チャネル番号を保持するデータベースを参照し、出力波長チャネル番号を決定する。その際には、下流のノード♯３の入力波長チャネル番号も検索する。このような処理を経て、下流のノード♯３に新たな制御信号パケットを送出する。この制御信号パケットには、入力情報と同一の転送時刻情報、入力情報と同一の宛先アドレス情報、入力情報と同一の仮想リング識別情報、ノード♯３の入力波長チャネル番号が含まれることになる。ここで、ノード♯３の入力波長チャネル情報は、ＬＭＰ（リンクマネージメントプロトコル：ＩＥＴＦ  ＤＲＡＦＴ  ｄｒａｆｔ−ｃｃａｍｐ−ｌｍｐ−０６．ｔｘｔ  ）により、ノード♯２の出力波長チャネル番号に対応して管理されており、当該ノードの出力波長チャネル番号と同義である。
【００２５】
同時に、自ノードのバーストスイッチング処理を行う。まず最初に、光スイッチ設定を行う予定時刻、入力波長チャネル番号および出力波長チャネル番号を管理する予定表データベースに登録処理される。クロックを内蔵したバーストスイッチ制御部は、予定表データベースを参照しながら光スイッチの切替処理を行う。このような処理により、当該制御信号パケットに対応する光バースト信号がノード♯２に到着する時間に、当該光バースト信号をドロップするかコンティニューするように光スイッチが駆動する。ノード♯３においても、制御信号パケットの処理に関してはほぼ同様の処理が行われ、制御信号パケットをノード♯４に転送する。ただし、ノード♯３は、当該仮想リングネットワーク１０１のアクセスノードではないので、光スイッチの設定は半固定的である。したがって、ノード♯２で前述のようなバーストスイッチング処理は省略され、通常の光クロスコネクション設定のみが行われる。
【００２６】
本発明では、このような動作を実現する仮想リングネットワークを光クロスコネクトネットワークに複数定義する。複数の仮想リングネットワークを光クロスコネクトネットワークに適切な波長割当に基づいて収容することにより、すべてのノード間で光バースト信号の送受信が可能になる。また、仮想リングネットワークは、各ノード間の日時レベルのトラヒック変動を考慮に入れた組み替え処理も行われる。
【００２７】
これにより、ノード間で大容量コンテンツの瞬時一括転送を実現しつつ、これらの大容量コンテンツを統計多重することにより、１つまたは複数の波長チャネル帯域を複数のノードで有効に共用することができる。本実施形態では、特に共用する波長チャネルをノード間で仮想リング状に接続することにより、光バーストスイッチの制御を容易にし、かつノード間の競合制御と公平性の確保に関する制御を簡素化することができる。
【００２８】
（仮想リング光バースト転送方法を実現するノード装置の第１の実施形態）
図４は、本発明の光通信ノードの第１の実施形態を示す。
図において、ノード装置は、光スイッチ部１０と、これを管理制御する管理制御機能部２０と、チャネル管理データベース１５により構成される。光スイッチ部１０は、入力側の波長多重リンクから波長多重された光信号を入力して分離する波長分波器１１と、各光信号を指定された方路に出力する光スイッチ機能部１２と、スイッチングされた各光信号を多重する波長合波器１３と、光スイッチ機能部１２を制御するスイッチ制御部１４により構成される。本実施形態の光スイッチ部１０は、合計８本の光ファイバから入力される合計１２８  波長の波長チャネル相互間を１０ミリ秒以下でスイッチングする能力を有する。
【００２９】
管理制御機能部２０は、光パスの設定・削除・切替・ルーティングを実現するルーティング処理機能部（ＯＳＰＦ／ＩＳ−ＩＳプロトコル処理機能）２１、光パス設定・削除シグナリングを行うパス設定管理機能部（ＲＳＶＰ−ＴＥ／ＣＲ−ＬＤＲプロトコル処理機能）２２、制御信号を伝送する制御回線網の障害監視を行う制御回線管理機能部（ＬＭＰ  プロトコル処理機能）２３、ＩＰ処理部２４、バーストスイッチ制御部２５により構成される。
【００３０】
ルーティング処理機能部２１は、各ファイバリンクにコストを定義し、設定しようとする光パスの始点−終点ノード間で累計されるファイバリンクコストが最小となる経路を検索する機能を有する。その検索アルゴリズムには、ダイクストラ法が適用される。パス設定管理機能部２２は、ＲＳＶＰ−ＴＥ  プロトコルのコアであるシグナリング処理部、現用光パス設定・削除処理機能部、予備光パス設定・削除処理機能部、予備光パス起動部を含む。さらに、これら現用光パス設定・削除処理機能部と予備光パス設定・削除処理機能部は、光チャネル管理データベース１５に接続される。これらの機能は、従来型の光パス設定に適用されるものである。
【００３１】
仮想リングネットワークの構成は、各ノード間の光バーストトラヒック量の測定データと、光クロスコネクトネットワークのネットワークリソースを管理しているネットワークマネージメントシステム（ＮＭＳ）からの命令により行われる。このＮＭＳには、最適な仮想リングネットワーク構成を導出する収容設計エンジンが搭載されており、このＮＭＳからの指示により各ノードは仮想リングネットワークの構成員となる波長チャネルを確保する。
【００３２】
管理制御機能部２０は、ＮＭＳからの命令を受け付ける機能、隣接ノードからの制御信号パケットを送受信する機能を有する。この制御信号パケットを処理するバーストスイッチ制御部２５は、自ノードを通過する仮想リング番号情報と、仮想リングを収容する入力波長チャネル番号および出力波長チャネル番号を保持する仮想リングデータベース２７を有する。光バーストスイッチングは、基本的にはこれら入力波長チャネル、出力波長チャネルに加えて、アッドポートおよびドロップポートを含めた４者間で行われる。
【００３３】
バーストスイッチング処理に関係のある制御信号パケットが管理制御機能部２０に入力されると、ＩＰ処理部２４を介してバーストスイッチ制御部２５の制御信号パケット処理部２６に転送される。制御信号パケット処理部２６は、この制御信号パケットに含まれる仮想リング識別番号および宛先ノードアクセス情報と、自ノードに保存されている仮想リング識別番号の読み出し処理を行い、仮想リングデータベース２７を参照して出力波長チャネル番号を決定する。その上で、出力波長チャネル番号に対応する隣接ノードの入力波長チャネル番号を検索し、当該情報を反映させた制御信号パケットを新たに組み立てて隣接ノードに送信する。この制御信号パケットのオーバヘッドには、隣接ノードで定義された制御チャネルアドレス情報が宛先情報として記録されている。
【００３４】
同時に、制御信号パケット処理部２６は、光スイッチの設定を行う予定時刻、入力波長チャネル番号および出力波長チャネル番号を管理する予定表データベース２８に、当該制御信号パケットの入力情報を登録処理する。バーストスイッチ制御部２５は、ネットワーク全体で１００  μ秒オーダの精度で時刻同期が実現されているクロック２９を内蔵しており、制御信号パケット処理部２６は予定表データベース２８とクロック２９に基づき、スイッチ駆動命令送出部３０を介して光スイッチ部１０の切替制御を行う。なお、クロックは、６４ビット符号化された二進数時刻で定義されており、本実施形態では１０１１１１１０から１１００００００において光バースト信号が当該ノードでドロップされる。
【００３５】
以上示したノード構成により、仮想リングネットワークの定義が可能であり、光バースト信号転送を実現する具体的な手段とすることができる。
【００３６】
（仮想リング光バースト転送方法を実現するノード装置の第２の実施形態）
第１の実施形態では、図５（ａ）  に示すように、例えばノード♯２−♯３間の仮想リングネットワーク１０１〜１０４を構成する波長チャネルは、明示的かつ半固定的に割り当てられていた。本実施形態では、仮想リングネットワークを構成する波長チャネルを明示しないものとする。すなわち、ノード間のＭ本の波長チャネル帯域をＮ個の仮想リングネットワーク間で共用し、仮想リングネットワーク間でトラヒック量に大きな偏りが発生した場合でも、ノード間の処理により自律分散的に必要な光バースト信号の転送帯域を融通する。
【００３７】
例えば、図５（ｂ）  に示すように、ノード♯２−♯３間の仮想リングネットワーク１０１〜１０４は、５本の波長チャネルを共用する。これにより、図５（ｃ）  に示すように、タイミングｔ１  では仮想リングネットワーク１０１が３波長、仮想リングネットワーク１０１が１波長、仮想リングネットワーク１０４が１波長を占有し、タイミングｔ２  では仮想リングネットワーク１０２が２波長、仮想リングネットワーク１０３が１波長、仮想リングネットワーク１０４が１波長を占有する帯域共用により、仮想リングネットワーク間にも統計多重効果を生み出すことができる。
【００３８】
そのためのノード装置は、図４に示す構成において、光スイッチ部１０の光スイッチ機能部１２に高速波長変換機能が追加される。これにより、入力された各光信号を任意の波長に高速変換することができる。なお、光スイッチ機能部全体で高速波長変換機能を共有する構成の他に、光スイッチ機能部１２の入力（出力）側の全ポートに波長変換手段を配置するようにしてよい。
【００３９】
また、バーストスイッチング処理に関係のある制御信号パケットがバーストスイッチ制御部２５の制御信号パケット処理部２６に転送されると、制御信号パケット処理部２６は、この制御信号パケットに含まれる仮想リング識別番号および宛先ノードアクセス情報と、自ノードに保存されている仮想リング識別番号の読み出し処理を行い、仮想リングデータベース２７と予定表データベース２８を参照する。ここで、仮想リングデータベース２７に登録されている出力波長チャネル番号は、優先波長チャネル番号情報である。まず最初に、この優先波長チャネル番号が、この制御信号パケットに対応する光バースト信号が到着する時刻に未使用であるかどうかを検索する。未使用であれば、この出力波長チャネル番号を利用するように予定表データベース２８に登録処理を行う。一方、使用中であれば他の空き出力波長チャネルを検索し、空き出力波長チャネルが存在すれば、その出力波長チャネルの利用を登録処理する。さらに、その出力波長チャネル番号に対応する隣接ノードの入力波長チャネル番号を検索し、当該情報を反映させた制御信号パケットを新たに組み立てて隣接ノードに送信する。また、空き出力波長チャネルを発見することができなかった場合には、当該制御信号パケットに対する光バースト信号の転送をブロックする。
【００４０】
以上により、仮想リングネットワーク間で波長チャネル帯域を共用し、各々の仮想リングネットワークで発生するバーストトラヒックを効率よく収容することができる。
【００４１】
【発明の効果】
以上説明したように、本発明の仮想リング光バースト転送方法およびノード装置で仮想リングネットワークを定義することにより、任意のネットワークトポロジを有する光パスクロスコネクトネットワークにおいて、簡単な制御により光バースト信号の衝突を回避する光バースト転送ネットワークを構築することができる。また、本発明により、ギガバイト級の大容量コンテンツを光バースト信号により瞬時一括転送を可能にすることができる。
【図面の簡単な説明】
【図１】本発明の仮想リング光バースト転送方法を説明する光クロスコネクトネットワークの構成例を示す図。
【図２】仮想リングネットワーク１０１の帯域共有の一例を示す図。
【図３】ノード♯１からノード♯４に転送される光バースト信号の転送形態を示す図。
【図４】本発明の光通信ノードの第１の実施形態を示す図。
【図５】本発明の光通信ノードの第２の実施形態を示す図。
【図６】光バースト信号を説明する図。
【図７】光バーストリング転送方式を説明する図。
【符号の説明】
１０  光スイッチ部
１１  波長分波器
１２  光スイッチ機能部
１３  波長合波器
１４  スイッチ制御部
１５  チャネル管理データベース
２０  管理制御機能部
２１  ルーティング処理機能部
２２  パス設定管理機能部
２３  制御回線管理機能部
２４  ＩＰ処理部
２５  バーストスイッチ制御部
２６  制御信号パケット処理部
２７  仮想リングデータベース
２８  予定表データベース
２９  クロック
３０  スイッチ駆動命令送出部
１０１〜１０４  仮想リングネットワーク
【図１】
2004179759.tif 000003
【図２】
2004179759.tif 000004
【図３】
2004179759.tif 000005
【図４】
2004179759.tif 000006
【図５】
2004179759.tif 000007
【図６】
2004179759.tif 000008
【図７】
2004179759.tif 000009